(57)【要約】      （修正有）【課題】分離式電気モジュールコネクタの提供。【解決手段】接続モジュール１、第１回路板２、第２回路板３、第３回路板４及びアダプタモジュール５で組成され、並びに第１回路板、第２回路板及び第３回路板にそれぞれ出力回路、入力回路及び発光ダイオード制御回路が設けられ、異なる電気特性の回路が異なる回路板に設置され、これにより異なる電気特性の信号伝送時に発生する相互干渉を減らす。【選択図】図１
0003106125.tif 000002
【実用新案登録請求の範囲】
【請求項１】
接続モジュール、第１回路板、第２回路板、アダプタモジュールで組成され、
該接続モジュールは、接続端子シートを具え、該接続端子シートの一側に接続部が設けられ、且つ該接続部より離れた別側に挿入面が設けられ、接続端子シートに複数の接続端子が設けられ、
該第１回路板は表面に複数の接点が設けられ、並びに接続端子シートの挿入面に当接し、第１回路板に出力回路が設けられ、
該第２回路板は表面に複数の接点が設けられ、且つ該第２回路板に入力回路が設けられ、並びに該第２回路板が第１回路板と直立垂直状を形成し、
該アダプタモジュールはアダプタ端子シートを具え、該アダプタ端子シートに複数のアダプタ端子の取付用の貫通溝が設けられ、該アダプタ端子の上方が第１回路板の複数の接点と電気的接続を形成し、
第１回路板と第２回路板が直立垂直状を形成し、これにより異なる電気特性の信号の伝送が発生する相互干渉が減らされることを特徴とする、分離式電気モジュールコネクタ。
【請求項２】
請求項１記載の分離式電気モジュールコネクタにおいて、接続端子シートの挿入面と第１回路板の間に第３回路板が設けられ、該第３回路板に複数の接点、中空部、及び複数のソルダー孔、位置決め孔が設けられ、該第３回路板の複数の接点に導電端子が半田付けされ、ソルダー孔に発光ダイオードが半田付けされることを特徴とする、分離式電気モジュールコネクタ。
【請求項３】
請求項２記載の分離式電気モジュールコネクタにおいて、アダプタ端子シートの一側より複数の位置決め柱が延伸され、この位置決め柱が第３回路板の対応する位置決め孔内に挿入されて位置決めを形成することを特徴とする、分離式電気モジュールコネクタ。
【請求項４】
請求項１記載の分離式電気モジュールコネクタにおいて、接続端子シートに複数の接続端子を挿入するための貫通溝が設けられたことを特徴とする、分離式電気モジュールコネクタ。
【請求項５】
請求項１記載の分離式電気モジュールコネクタにおいて、接続端子シートの挿入面の一側より複数の位置決め柱が延伸され、且つこの位置決め柱が第１回路板の対応する切欠き内部に挿入されて位置決めを形成することを特徴とする、分離式電気モジュールコネクタ。
【請求項６】
請求項１記載の分離式電気モジュールコネクタにおいて、接続モジュールの挿入面の一側より二つの相互に対応するフック状の挟持部が延伸され、第１回路板の表面に貫通溝が設けられ、第２回路板の第１回路板に接近する表面に係止溝が設けられ、該挟持部が第１回路板表面の貫通溝を通過した後に係止溝と係合することを特徴とする、分離式電気モジュールコネクタ。
【考案の詳細な説明】
【技術分野】
【０００１】
本考案は分離式電気モジュールコネクタに係り、特に、コネクタ内部に異なる電気特性の基板が設置され、これにより異なる電気特性の信号伝送により発生する相互干渉を減らすよう形成された分離式電気モジュールコネクタに関する。
【背景技術】
【０００２】
現在、コンピュータテクノロジーが急速に発展し、デスクトップ型コンピュータ或いはノートブック型コンピュータは社会のあらゆる場所に普及し、使用者が情報を獲得したり文献を伝送する場合、いずれもコンピュータをネットワークに接続することでその作業を行なうことができ、更にネットワークテクノロジーの情報獲得及び伝送時に有する敏捷な特性により、現在、生活中で個人或いは法人の配備が必要な資源の一つとなっている。ゆえに、コンピュータ上にネットワークとの接続用のコネクタが必要となり、このようなネットワーク用コネクタは多くがＲＪ４５コネクタとされ、ＲＪ４５コネクタはコンピュータをＬＡＮ或いはＩＳＤＮ装置に接続するために使用される。ただしＲＪ４５コネクタは他の電気設備の高周波電波に対する干渉を発生しやすく、自身の信号もまた外部ケーブル中に発生する雑音の影響を受けやすい。このためある業者はコネクタを金属シールドケースで被覆し内部にコンデンサとろ波モジュールを設けて雑音隔離と瞬間異常電圧からの保護を形成し、メーカーによっては更に使用する回路板に上述の電子装置と入出力回路をレイアウトしてこのようなコネクタの付加価値を増している。図４は周知の技術の立体分解図であり、このような周知のコネクタは、接続シートＢ及び挿入シートＤで組成された端子シートが絶縁シートＡ内に嵌め込まれている。端子シート中の接続シートＢ及び挿入シートＤの複数の端子Ｂ１、Ｄ１が直接回路板Ｃに半田付けされ、且つ絶縁シートＡより後方に延伸された二つのサポートアームＡ１が回路板Ｃの二側の切欠きＣ１を保持し、更に全体の外表が電磁波干渉防止用の金属シールドケースＥで被覆され、且つ挿入シートＤの複数の端子は下方に設置された回路板に挿入可能とされている。このような周知のコネクタは、コンピュータ中の回路板空間を節約するため回路板がコネクタ内部に増設されている。ただし、入出力の回路がこのコネクタ内部の回路板中に集中しているため、自身の信号が内部の異なる入力、出力信号の相互干渉を受ける。このような従来のコネクタは以下のような欠点を有している。
１．異なる電気特性の回路が同一の回路板に放置されるため、回路の過度の集中を形成し、これにより異なる電気特性の伝送信号が相互干渉を発生して電気信号不良の欠点を形成する。
２．コネクタ内に一つの回路板のみが設けられ、その回路と電子装置の収容空間が不足し、ゆえに別にマザーボード上に設ける必要が生じ、このためマザーボード上の使用空間が減る。
【考案の開示】
【考案が解決しようとする課題】
【０００３】
本考案の主要な目的は、異なる電気特性の回路を異なる回路板に設け、有効に回路の過度の密集が形成する異なる電気特性の信号の伝送が発生する相互干渉を防止し、これにより、異なる電気特性の信号の伝送が発生する相互干渉の欠点を無くした分離式電気モジュールコネクタを提供することにある。
【課題を解決するための手段】
【０００４】
請求項１の考案は、接続モジュール、第１回路板、第２回路板、アダプタモジュールで組成され、
該接続モジュールは、接続端子シートを具え、該接続端子シートの一側に接続部が設けられ、且つ該接続部より離れた別側に挿入面が設けられ、接続端子シートに複数の接続端子が設けられ、
該第１回路板は表面に複数の接点が設けられ、並びに接続端子シートの挿入面に当接し、第１回路板に出力回路が設けられ、
該第２回路板は表面に複数の接点が設けられ、且つ該第２回路板に入力回路が設けられ、並びに該第２回路板が第１回路板と直立垂直状を形成し、
該アダプタモジュールはアダプタ端子シートを具え、該アダプタ端子シートに複数のアダプタ端子の取付用の貫通溝が設けられ、該アダプタ端子の上方が第１回路板の複数の接点と電気的接続を形成し、
第１回路板と第２回路板が直立垂直状を形成し、これにより異なる電気特性の信号の伝送が発生する相互干渉が減らされることを特徴とする、分離式電気モジュールコネクタとしている。
請求項２の考案は、請求項１記載の分離式電気モジュールコネクタにおいて、接続端子シートの挿入面と第１回路板の間に第３回路板が設けられ、該第３回路板に複数の接点、中空部、及び複数のソルダー孔、位置決め孔が設けられ、該第３回路板の複数の接点に導電端子が半田付けされ、ソルダー孔に発光ダイオードが半田付けされることを特徴とする、分離式電気モジュールコネクタとしている。
請求項３の考案は、請求項２記載の分離式電気モジュールコネクタにおいて、アダプタ端子シートの一側より複数の位置決め柱が延伸され、この位置決め柱が第３回路板の対応する位置決め孔内に挿入されて位置決めを形成することを特徴とする、分離式電気モジュールコネクタとしている。
請求項４の考案は、請求項１記載の分離式電気モジュールコネクタにおいて、接続端子シートに複数の接続端子を挿入するための貫通溝が設けられたことを特徴とする、分離式電気モジュールコネクタとしている。
請求項５の考案は、請求項１記載の分離式電気モジュールコネクタにおいて、接続端子シートの挿入面の一側より複数の位置決め柱が延伸され、且つこの位置決め柱が第１回路板の対応する切欠き内部に挿入されて位置決めを形成することを特徴とする、分離式電気モジュールコネクタとしている。
請求項６の考案は、請求項１記載の分離式電気モジュールコネクタにおいて、接続モジュールの挿入面の一側より二つの相互に対応するフック状の挟持部が延伸され、第１回路板の表面に貫通溝が設けられ、第２回路板の第１回路板に接近する表面に係止溝が設けられ、該挟持部が第１回路板表面の貫通溝を通過した後に係止溝と係合することを特徴とする、分離式電気モジュールコネクタとしている。
【考案の効果】
【０００５】
本考案は、異なる電気特性の回路を異なる回路板に設け、有効に回路の過度の密集が形成する異なる電気特性の信号の伝送が発生する相互干渉を防止し、これにより、異なる電気特性の信号の伝送が発生する相互干渉の欠点を無くした分離式電気モジュールコネクタを提供している。
【考案を実施するための最良の形態】
【０００６】
図１、２、３は本考案の立体外観図、立体分解図及び局部部品組合せ後の立体分解図である。図に示されるように、本考案は接続モジュール１、第１回路板２、第２回路板３、第３回路板４、アダプタモジュール５及び発光ダイオード６で組成されている。
【０００７】
該接続モジュール１は接続端子シート１１と複数の接続端子１２を具え、且つ接続端子シート１１の一側に接続部１１１が設けられ、接続部１１１より離れた別側に挿入面１１２が設けられ、並びに挿入面１１２に接続部１１１に連通する貫通溝１１３と外向きに突出し相互に対応する二つのフック状の挟持部１１４と二つの位置決め柱１１５が設けられている。
【０００８】
該第１回路板２は表面に複数の接点２１と位置決め孔２２が設けられ、並びに第１回路板２の表面に貫通溝２３が設けられ、且つ第１回路板２に出力回路が設けられている。
【０００９】
該第２回路板３は表面に複数の接点３１と係止溝３２が設けられ、並びに第２回路板３に入力回路が設けられている。
【００１０】
該第３回路板４は表面に複数の接点４１を具え、且つ複数の接点４１にいずれも導電端子４５が半田付けされ、並びに第３回路板４の表面に中空部４２、位置決め孔４３及びソルダー孔４４が設けられ、且つ中空部２２の両側に切欠き４２１が設けられ、第３回路板４に発光ダイオード６を具えた回路が設けられている。
【００１１】
該アダプタモジュール５はアダプタ端子シート５１とアダプタ端子５２を具え、且つアダプタ端子シート５１内に複数の貫通溝５１１が設けられ、並びに一側より位置決め柱５３が延伸されている。
【００１２】
本考案を組み立てる時は、まず複数の接続端子１２が接続端子シート１１の対応する貫通溝１１３内に挿入され、並びに接続端子シート１１の位置決め柱１１５が第３回路板４の切欠き４２１に通され、第３回路板４が挿入面１１２部分に位置決めされ、更に第１回路板２が第３回路板４に近接させられ、並びに複数の接続端子１２が第１回路板２の対応する接点２１と電気的接続を形成する。この時、挿入面１１２より延伸された挟持部１１４が順に第３回路板４の中空部４２と第１回路板２の貫通溝２３に通され外側に露出させられる。また、第２回路板３の複数の接点３２には複数のアダプタ端子５２が半田付けされ、並びに複数のアダプタ端子５２及び導電端子４５がアダプタモジュール５のアダプタ端子シート５１内に設立された各貫通溝５１１中に挿入されて位置決めされ、更に第２回路板３の係止溝３１の板縁が挿入面１１２の二つの挟持部１１４に圧接され、これにより挟持部１１４が係止溝４１内に係合し、アダプタ端子シート５１の位置決め柱５３が第３回路板４の表面の位置決め孔４３に圧入されて位置決めを形成し、これにより、ネットワークプラグを挿入して使用されるＲＪ４５コネクタの内部モジュールが完成する。
【００１３】
さらに、第３回路板４の四側に設けられたソルダー孔４４に四つの発光ダイオード６が半田付けされる。
【００１４】
また、本考案は異なる電気特性の回路が第１回路板２、第２回路板３、第３回路板４に設けられることで、異なる特性の信号の伝送が形成する相互干渉を防止し、第１回路板２に出力回路が設けられ、第２回路板３に入力回路が設けられ、第３回路板４に発光ダイオード６を具えた回路が設けられている。ただし、第１回路板２、第２回路板３には出力、入力の回路が設けられ、ゆえに第３回路板４は選択的に設置、或いは不設置とされ、並びにこれにより本考案の主要な機能に影響を与えることはない。
【００１５】
ゆえに、本考案の分離式電気モジュールコネクタは従来の技術による構造と比較すると、技術のポイントは、出力、入力の回路が第２回路板３と第１回路板２に分けて設けられたことで、異なる特性の信号の伝送により発生する相互干渉の欠点を減らすことができるということにある。
【図面の簡単な説明】
【００１６】
【図１】本考案の立体外観図である。
【図２】本考案の立体分解図である。
【図３】本考案の局部部品組合せ後の立体分解図である。
【図４】周知の局部部品組合せ後の立体分解図である。
【符号の説明】
【００１７】
１  接続モジュール
１１  接続端子シート                        １１４  挟持部
１１１  接続部                              １１５  位置決め柱
１１２  挿入面                              １２  接続端子
１１３  貫通溝
２  第１回路板
２１  接点                                  ２３  貫通溝
２２  位置決め孔
３  第２回路板
３１  係止溝                                ３２  接点
４  第３回路板
４１  接点                                  ４３  位置決め孔
４２  中空部                                ４４  ソルダー孔
４２１  切欠き                              ４５  導電端子
５  アダプタモジュール
５１  アダプタ端子シート                    ５２  アダプタ端子
５１１  貫通溝                              ５３  位置決め柱
６  発光ダイオード
Ａ  絶縁シート
Ａ１  サポートアーム
Ｂ  アダプタシート
Ｂ１  端子
Ｃ  回路板
Ｃ１  切欠き
Ｄ  挿入シート
Ｄ１  端子
Ｅ  金属シールドケース
【図１】
0003106125.tif 000003
【図２】
0003106125.tif 000004
【図３】
0003106125.tif 000005
【図４】
0003106125.tif 000006